(57)【特許請求の範囲】
【請求項１】
マンホール躯体の壁面に穿設された取付管用穴に取付管を取付ける構造に於いて、前記取付管の外径より十分大きな内径を持つ剛性ソケットをマンホール躯体の取付管穴の周りに取付固定し、先端部の内径が取付管のほぼ外径に等しい先細形柔軟筒体の元部を前記剛性ソケットに取付固定し、更に取付管を該先細形柔軟筒体、剛性ソケット及びマンホール躯体の取付管用穴に挿通すると共に、取付管をマンホール躯体及び先細形柔軟筒体の先端部で支持し、前記先細形柔軟筒体の元部と先端部との夫々の外周にフランジを突設し、元部のフランジを剛性ソケットに取付け、かつ先端部のフランジを取付管の周りに嵌着されたリングに取付けて構成しことを特徴としたマンホールに於ける管取付け構造。
【請求項２】
前記先細形柔軟筒体は、その中央部の筒部が小さな硬度を有し、かつ元部と先端部とに突設されたフランジ部が大きな硬度を持って構成されていることを特徴とした請求項１のマンホールに於ける管取付け構造。
【発明の詳細な説明】
【０００１】
【産業上の利用分野】
本発明はマンホール躯体に取付管を取付ける構造に係り、特に、マンホール躯体に取付管を機械的に取付けることが出来、かつ取付管が可撓性を持って取り付けられるようにした取付け構造を提供するものである。
【０００２】
【従来の技術】
従来のこの種の取付管の取付け方法としては、予めコンクリート製ソケットをマンホール躯体に一体的に取り付ける方法（例えば江端コンクリート工業株式会社が開発した「エバホール」等）が公知である。この方法は、ソケットがマンホール躯体に予め取り付けられているので、現場では取付管をソケットの中に差し込みかつゴムシールで接合すれば良いので、作業が簡単であると共に、水蜜性の確保が容易である等の点で優れた方法である。
【０００３】
しかし、この方法は、マンホール躯体に取り付けられるソケットの位置が工場で製造される時に予め決定されるために、多種多様のマンホール躯体を用意しなければならない問題があった。また、施工現場で生じる管路の施工誤差には、全く対応が出来ない等の大きな欠点もあった。更に、一般に管路は下流から施工してくるが、取付管をマンホール躯体に接続するときには、一旦取付管をマンホール躯体の内部に深く差し込んでから引き出して取付管とマンホール躯体との接続作業を実施するが、コンクリートソケットが予めマンホール躯体に取り付けられているこの種のタイプでは、このような作業を行うことが出来ないという問題もあった。
【０００４】
前述のコンクリート製ソケットを予めマンホール躯体に取り付ける方法の欠点を改善するために、例えば本件特許出願人が開発した実公平４ー３２５４３号公報に示すゴム製ソケットをマンホール躯体に取り付ける方法が公知である。このゴム製ソケットをマンホール躯体に取り付ける方法は、ソケット自体が可撓性を有するので、施工時の誤差を充分に吸収することが出来る点、及び取付管をマンホール躯体に差し込んで管路を施工することが出来る点で優れた方法であり、実用化されるようになって来ている。
【０００５】
【発明が解決しようとする課題】
然るに、ゴム製ソケットをマンホール躯体に取り付ける方法も次のような問題点が新たに生じるようになって来た。即ち、ゴム製ソケットをマンホール躯体に取り付けるに当たっては、ブチルゴム等の接着剤とボルト等を併用して取り付けるが、現場で接合部分が湿っているような場合等の施工時の条件が悪いと、接合部分が後から剥離して漏水が生ずる問題があった。また、ゴム製ソケットをマンホール躯体に機械的に固着する場合には、現場に特殊なジャッキや治具を用意しなければならず煩雑である問題もあった。更に、このゴム製ソケットを使用する方法に於いても、管路の施工誤差に対応出来る範囲が狭められる問題もあった。
【０００６】
本発明に係る取付け構造は、前述の従来の問題点に鑑み開発された全く新しい技術であって、特にマンホール躯体には大きな内径を持った剛性ソケットを取り付け、かつ、可撓性に富む先細形柔軟筒体を該剛性ソケットに取り付け、更に取付管をこの先細形柔軟筒体、剛性ソケット及びマンホール躯体に挿通した状態でマンホール躯体に取付管を取り付ける全く新しい取り付け構造の技術を提供するものである。
【０００７】
【課題を解決するための手段】
本発明に係るマンホールに於ける管取付け構造は、前述の従来の問題点を根本的に改善した技術であって、その第１発明の要旨は、マンホール躯体の壁面に穿設された取付管用穴に取付管を取付ける構造に於いて、前記取付管の外径より十分大きな内径を持つ剛性ソケットをマンホール躯体の取付管穴の周りに取付固定し、先端部の内径が取付管のほぼ外径に等しい先細形柔軟筒体の元部を前記剛性ソケットに取付固定し、更に取付管を該先細形柔軟筒体、剛性ソケット及びマンホール躯体の取付管用穴に挿通すると共に、取付管をマンホール躯体及び先細形柔軟筒体の先端部で支持し、前記先細形柔軟筒体の元部と先端部との夫々の外周にフランジを突設し、元部のフランジを剛性ソケットに取付け、かつ先端部のフランジを取付管の周りに嵌着されたリングに取付けて構成しことを特徴としたマンホールに於ける管取付け構造である。
【０００８】
更に、第２発明の要旨は、前記先細形柔軟筒体は、その中央部の筒部が小さな硬度を有し、かつフランジ部が大きな硬度を持って構成されていることを特徴とした第１発明のマンホールに於ける管取付け構造である。
【０００９】
【作用】
第１発明の取付け構造に於いては、剛性のある剛性ソケットをマンホール躯体に取り付けるので、ソケットをマンホール躯体に容易かつ安定した状態で機械的に取り付けることが出来る。従って、工場等に於いて予め取り付けることが可能である。剛性ソケットは取付管の外径より十分大きな内径を有しているので、この中に挿入された取付管は、その方向を自在に変えることが出来る。
【００１０】
取付管とマンホール躯体及び剛性ソケットとの隙間にはモルタル等を充分に充填することが出来、かつ取付け管をこれ等のマンホール躯体と剛性ソケットとで長距離間で支持することが出来る。剛性ソケットには先細形柔軟筒体を機械的に取り付けるためのアンカーを予め埋設することが出来る。可撓性に富む先細形柔軟筒体が剛性ソケットに取り付けられており、かつこの先細形柔軟筒体の先端部で取付管を支持しているので、取付管は管路の施工誤差等に対して広い範囲で対応することが出来る。
【００１１】
また、第１発明に於いては、前記先細形柔軟筒体の元部と先端部との夫々の外周にフランジが突設されているので、これ等のフランジを介して先細形柔軟筒体を剛性ソケットと取付管に固定されたリングとに安定した状態で強固に取り付けることが出来る。
【００１２】
本願の第２発明に於いては、前記先細柔軟筒体の中央部の筒部が小さな硬度で形成されて柔らかになっているので、可撓性に富む筒体を構成することが出来、この先細形柔軟筒体に固定される取付管の方向を大きく変えることが出来る。また、フランジ部は大きな硬度を有しているので、このフランジ部を剛性ソケット或いは取付管に設けられたリングに、強固かつ安定した状態で取り付けることが出来る。
【００１３】
【実施例】
図により本発明に係るマンホールに於ける管取り付け構造の一実施例を具体的に説明すると、図１は本発明の方法を実施した状態の要部の縦断面図、図２は図１の外観を示す斜視図、図３は図１の要部の正面説明図、図４は他例の正面説明図である。
【００１４】
図１乃至図３に於いて、１はマンホール躯体であって、その所定位置には取付管用穴２が穿設されている。３は剛性ソケットであって、マンホール躯体１の取付管用穴２の周りに取付固定れている。この剛性ソケット３はコンクリート或いは合成樹脂等の剛性材で形成されている。かつ、剛性ソケット３はマンホール躯体１に予め埋め込まれた埋込アンカー４にアンカーボルト５を螺合することによって機械的に取り付けられえると共に、マンホール躯体１と剛性ソケット３の間には接着剤が充填されている。この剛性ソケット３は、後述の取付管の外径より十分大きな内径を持って形成され、かつその端部には埋込アンカー６が埋設されている。
【００１５】
７は先細形柔軟筒体であって、先細状に形成された中央部の筒部８と、その筒部８の元部外周に突設されたフランジ９と、及び筒部８の先端部外周に突設されたフランジ１０とで一体的に構成されている。筒部８は硬度の小さい柔軟性に富むプラスチック材、合成ゴム材等で形成され、かつ、その先端部は取付管の外径とほぼ等しい内径を有している。フランジ９，１０は、夫々硬度の大きいＡＢＳ樹脂等のプスチック材で形成され、かつ、これ等のフランジ９，１０と筒部８とは一体的に成形されている。前記フランジ９，１０の所定位置には、ボルトを挿通し得るボルト穴が穿設されている。フランジ９の外周縁には、前記剛性ソケット３の外周面に被覆し得る突輪１１が突設されている。
【００１６】
１２は取付管であって、マンホール躯体１の取付管用穴２、剛性ソケット３及び先細形柔軟筒体７に挿通して取り付けられる寸法を有している。この取付管１２の外周所定位置には、取付管１２を先細形柔軟筒体７の先端に設けられたフランジ１０に固定するためのリング１３が取り付けられている。図中１４はシールゴムであって、リング１３をフランジ１０に固定する際に両者間に挟み込まれるように構成されている。また、１５，１６もリングであって、フランジ９及びフランジ１０を夫々剛性ソケット３或いは前記リング１３に取り付ける際に、これ等のフランジ９、或いはフランジ１０を挟持し得るように構成されている。
【００１７】
本発明に係る管取り付け構造の実施に当たっては、剛性ソケット３を，マンホール躯体１の所定位置に穿設された取付管用穴２の周りに、ボルト５と埋込アンカー４とを介して取付固定する。次に剛性ソケット３の端面に先細形柔軟筒体７のフランジ９を当接し、同時に突輪１１を剛性ソケット３の外周部に被覆し、かつ、このフランジ９の外側にリング１５を重ね、ボルト１７と埋込アンカー６とを利用して両者を機械的に固定する。その後で、先細形柔軟筒体７の先端部から剛性ソケット３、取付管用穴２及びマンホール躯体１の内部迄取付管１２を深く挿入した後、この取付管１２を図示せざる管路に連結する。
【００１８】
かつ、取付管１２の外周に嵌め込まれて取り付けられたリング１３と、先細形柔軟筒体７のフランジ１０とを当接すると共に、両者間にシールゴム１４を介在し、フランジ１０の背面にリング１６を重ね、この状態で複数個のボルト１８を介してフランジ１０と、その両側面に当接されたリング１３，１６とをボルト１８で固定して取付間１２を先細形柔軟筒体７に機械的に取付固定する。また、取付管１２とマンホール躯体１及び剛性ソケット３との隙間には、バックアップ材やモルタルを充填する。このようにして、本発明に係る管取付け構造を構成することが出来る。
【００１９】
上記実施例に於いては、剛性ソケット３の外周部に３個の三角形突出部３ａを突設し、この部分にアンカーボルト５を挿通するように構成したが、図４に示す如く、剛性ソケット３の外周を大径に形成し、その所定位置に穴を穿設して、アンカーボルト５をこの穴に挿通するように構成することも可能である。
【００２０】
【発明の効果】
本発明に係るマンホールに於ける管取り付け構造は、前述の如き構造と作用とを有するので、次のような多大な効果を有している。
【００２１】
（１）取付管は先細形柔軟筒体で支持されると共に、取付管より十分大きな内径を持った剛性ソケット内に挿入されるので、マンホール躯体に取り付けられる取付け管は、その取り付け方向を大きく変えることが出来る。（２）取付け管をマンホール躯体内に深く挿入することが出来る。（３）取付け管はマンホール躯体及び剛性ソケットで長距離間を安定した状態で支持することが出来る。
【００２２】
（４）躯体マンホールと先細形柔軟筒体との間に剛性ソケットを介在させるので、これ等を安定した状態で機械的に結合させることが出来る。（５）先細形柔軟筒体の元部及び先端部に夫々フランジを設けたので、このフランジを介して先細形柔軟筒体を剛性ソケット或いは取付管に嵌着されたリングに容易かつ確実に取り付け固定することが出来る。（６）先細形柔軟筒体は、その先端部の内径が取付管の外径とほぼ等しいので、この先端部で取付管を支持することが出来る。
【図面の簡単な説明】
【図１】本発明の方法を実施した状態の要部の縦断面図である。
【図２】図１の外観を示す斜視図である。
【図３】図１の要部の正面説明図である。
【図４】他例の正面説明図である。
【符号の説明】
１       マンホール躯体
２       取付管用穴
３       剛性ソケット
４       埋込アンカー
５       アンカーボルト
６       埋込アンカー
７       先細形柔軟筒体
８       筒部
9,10     フランジ
11       突輪
12       取付管
13       リング
14       シールゴム
15,16    リング
17,18    ボルト
【図１】
0003566755.tif 000002
【図２】
0003566755.tif 000003
【図３】
0003566755.tif 000004
【図４】
0003566755.tif 000005